(57)【要約】【課題】街の通りの沿道に沿った広告対象を効率良く宣伝でき、かつ地図として多目的に利用可能で広告効果が最も高いポケットサイズの折り畳み式広告地図を提供する。【解決手段】通りを中心として、その沿道に位置する広告対象の配置を地図上で明確に表現し、番号又は記号で広告対象と、紙面余白部分に示された概要コラムを対応させる。裏面には折り返しによって沿道を対応できるようにし、余白に各広告対象の詳細を示すコラムを設ける。このコラムにも番号又は記号を示し、沿道毎に両コラムを用いて十分に広告できるようにする。ポケットサイズ化して携帯できるようにする。【選択図】      図１
2005017490.tif 000002
【特許請求の範囲】
【請求項１】
１枚の紙面を用いて、通りに沿って散在する多数の店を効率よく広告するのに用いる折り畳み式広告地図であって、
前記紙面の表中央に通りを示す図と、その通りに沿って散在する目印及び広告対象の位置を示すと共に、各広告対象に関しては番号又は記号をつけて示し、
前記紙面の上方余白部分には、前記通りの上方沿道に沿って位置する各広告対象につき、前記番号又は記号を対応させ、各広告対象の概要を写真又は図を用いて示す概要表示コラムを設け、
前記紙面の下方余白部分には、前記通りの下方沿道に沿って位置する各広告対象につき、前期番号又は記号を対応させ各広告対象の概要を写真又は図を用いて示す概要表示コラムを設け、
前記紙面の下方裏面には、該裏面が表面となるよう折り畳まれたとき、前記通りの上側沿道と一致する上側沿道の図が記載されると共に、その裏面の余白部分には、前記番号又は記号を対応させて前記上側沿道の前記広告対象の商品又はサービス内容を含めた詳細情報を示す詳細表示コラムを設け、
前記紙面の上方裏面には、該裏面が表面となるような折り畳まれたとき、前記通りの下側沿道と一致する下側沿道の図が記載されると共に、その裏面の余白部分には、前記番号又は記号を対応させて前記下側沿道の前記広告対象の商品又はサービス内容を含めた詳細情報を示す詳細表示コラムを設け、
前記紙面の上方又は下方の裏面に描かれた前記通りの下側沿道又は上側沿道の図を、前記紙面の表面に描かれた基準の通りの対応位置に合わせて逐次折り畳み、前記通りに沿って散在する上側又は下側の各広告対象の概要及び詳細を夫々一読可能に構成したことを特徴とする折り畳み式広告地図。
【請求項２】
請求項１に記載の折り畳み式広告地図において、前記紙面をポケットサイズに細かく折り畳んだときの本体大きさを基準として、その大きさの２倍大の台紙を準備し、それを２つ折りして前記本体を挟み込むと共に、その２つ折り部分の内側片面を、前記紙面の裏面の１部にのり付けしたことを特徴とする折り畳み式広告地図。
【請求項３】
請求項２に記載の折り畳み式広告地図において、前記台紙の見開き面の内側には、クーポン券等広告サービスを展開することを特徴とする折り畳み式広告地図。
【請求項４】
請求項１に記載の折り畳み式広告地図において、前記通りは、メインの通りに対して直交する通りを含み、該直交する通りに対しては、前記上下の方向関係を左右の方向関係に置き換えて、同様の概要情報及び詳細情報の各コラムを設けることを特徴とする折り畳み式広告地図。
【発明の詳細な説明】
【０００１】
【発明の属する技術分野】
本発明は、繁華街等、街の通りの沿道に位置する各種の店を効率良く案内、広告することができる折り畳み式広告地図に関する。
【０００２】
【従来の技術】
一般に、地図は、広い一枚の紙面に図を示し、これを折り畳んで販売されることが多い。折り畳み方は色々である。
【０００３】
一方、地図と共に、その地域に散在する店の広告を載せるとき、位置と広告コラムとの関係の整合を取り、広告コラムを隅に書き、そのコラムから出された小さな矢印等で、その位置を示すことも有る。
【０００４】
特許出願公表昭６３−５０３２４６では、ポケットサイズに折り畳まれた地図を腰を付けて携帯できるよう、アコーディオンのように折り畳むことができるコンチェルティーナ折り目による地図の表裏に、厚めの補強部分を取り付けた取り畳シートが紹介されている。このように、折り畳まれた地図は、ポケットに入れられ、携帯されるので、折り畳み方と、その収納が考慮されなければならない。
【０００５】
従来の街の通りについての広告に関するポケットサイズの地図は余り例がない。多数の店を効率よくまとめる手立てと、その必要性が知られていないからである。敢えて示すと、街の広告として、チラシ広告の例が有る。ポケットサイズのティッシュに広告を載せる例なども有る。
【０００６】
繁華街、例えば都会の大通りや裏通り等、いわゆる飲み屋街や銀天街、その他買い物通りにおいて、その通り沿道に属する多数の店を一つの広告チラシにまとめることを考えるとき、これをポケットサイズで携帯可能なものにすると大変便利である。そのときだけの売り出し物を広告するのではなく、街の通りの地図上での所在が示されるので、その通り全体の大広告に展開できるからである。例えば、飲み屋街の広告にて、今日はどの店に行なうかと散策できる。他店と比較してサービス向上を狙うこともできる。同一地図を用いて買い物先を決めることもできる。さらに広く一般的な地図として活用できる。
【０００７】
しかしながら、従来、かくある地図をどう構成し、如何に編集するかの技法がなく、この種広告は、専らチラシで代用されていたのが実情である。
【０００８】
【特許文献１】
特許出願公表昭６３−５０３２４６、第１頁、図１
【０００９】
【発明が解決しようとする課題】
上記従来技術に鑑みて、本発明は、街の通りの沿道に沿って散在する多数の店を効率良く広告し、利用者に携帯させ、地図情報を含めて各店の広告を見せることを主目的とし、かつ、その通りの地図として大変便利に利用できる折り畳み式広告地図を提供することを目的とする。
【００１０】
【課題を解決するための手段】
上記課題を解決することができる本発明の折り畳み式広告地図は、１枚の紙面を用いて、通りに沿って散在する多数の店を効率よく広告するのに用いる折り畳み式広告地図であって、
前記紙面の表中央に通りを示す図と、その通りに沿って散在する目印及び広告対象の位置を示すと共に、各広告対象に関しては番号又は記号をつけて示し、
前記紙面の上方余白部分には、前記通りの上方沿道に沿って位置する各広告対象につき、前記番号又は記号を対応させ、各広告対象の概要を写真又は図を用いて示す概要表示コラムを設け、
前記紙面の下方余白部分には、前記通りの下方沿道に沿って位置する各広告対象につき、前期番号又は記号を対応させ各広告対象の概要を写真又は図を用いて示す概要表示コラムを設け、
前記紙面の下方裏面には、該裏面が表面となるよう折り畳まれたとき、前記通りの上側沿道と一致する上側沿道の図が記載されると共に、その裏面の余白部分には、前記番号又は記号を対応させて前記上側沿道の前記広告対象の商品又はサービス内容を含めた詳細情報を示す詳細表示コラムを設け、
前記紙面の上方裏面には、該裏面が表面となるような折り畳まれたとき、前記通りの下側沿道と一致する下側沿道の図が記載されると共に、その裏面の余白部分には、前記番号又は記号を対応させて前記下側沿道の前記広告対象の商品又はサービス内容を含めた詳細情報を示す詳細表示コラムを設け、
前記紙面の上方又は下方の裏面に描かれた前記通りの下側沿道又は上側沿道の図を、前記紙面の表面に描かれた基準の通りの対応位置に合わせて逐次折り畳み、前記通りに沿って散在する上側又は下側の各広告対象の概要及び詳細を一読可能に構成したことを特徴とする。
【００１１】
従って、本発明の折り畳み式広告地図にあっては、例えば１つの通りを１枚の用紙の中央横方向に描いた場合、上下３つ折りとして、最下方の紙面を裏返して通り上側沿道部分を一致させ、紙面表の上側に設けた概要コラムと、紙面裏に設けた詳細コラムを各店の番号又は記号に対応させて一読させ、通りに沿った各店の概要及び詳細を余す所なく示すことができる。具体的には、Ａ３紙面にて長さ１００〜２００ｍの通りの店を２０〜３０店広告することができ、両コラムを用いて、店の名前を含めて外観又は店内の様子等の概要と、電話番号、メールアドレス、料金、商品又はサービスの内容等の詳細を示すことができる。地図については、徹底的に描写を実物に近くするのが好ましい。道路の中央線、横断歩道、標識等まで入れるのが好ましい。単なる広告に留まらず、通りの地図を提供することも目的とするためである。建物は、できるだけそっくりに描く。ナイトマップに関しては、夜の写真からリライトする。写真よりも本物らしく見えるように遠近調整することも忘れない。ネオンもそのまま入れるのが好ましい。薬局、花屋等の旗まで模倣し、自動販売機、公衆電話、コンビニ、ポストの位置まで記入するのが好ましい。これらの変化は毎週チェックし、リアル性を追求する。広告対象は、必ずしも１種のものに限定しない。多用途性を持たせるためである。例えば、ナイトマップでは、飲み屋（プールバーやショットバー）を主体とし、これに宝石店、懐石料理の店、寿司屋、映画館をも含める。広告対象でなくとも地図情報として含める必要性のあるものは含める。
【００１２】
従って、本発明の広告地図によれば、広告対象が飲み屋であれば、飲み屋利用の者が有効利用できることは勿論のこと、通り利用者全ての者がリアルな地図として多用でき、これに伴う経済発展効果までが期待されることになる。
【００１３】
以上示した広告地図において、前記紙面をポケットサイズに折り畳んだときの本体大きさを基準として、その大きさの２倍大の台紙を準備し、それを２つ折りにして前記本体を挟み込むと共に、その２つ折り部分の内側片面は、前記紙面の裏面の１部にのり付けすることにより、本体を台紙で飾って携帯可能な広告地図とすることができる。
【００１４】
台紙としては、通常の厚めの紙で十分である。表面には、商標表示や著作物の表示により広告代理店の発行する地図であることが表示できる。台紙には発行月日と共に定期発行物であることを発行番号等と共に表示できる。
【００１５】
前記台紙の見開き面の内側には、クーポン券等広告サービスを展開することができる。クーポン券の収集を楽しみとしながら広告地図を利用することができる。定期刊行物とする場合、番号くじを付けるのも有効である。
【００１６】
前記通りは、メインの通りに対して直交する通りを含み、該直交する通りに対しては、前記上下の方向関係を左右の方向関係に置き換えて、同様の概要情報及び詳細情報の各コラムを設けることもできる。Ｌ字型に曲がったような通りに対しても適用できる。本発明の広告地図は、区間は１つの通りに限定されるが、紙面上方又は下方、或いは左右方向からの折り返しを行なったとき、広告対象を両コラムで解説できれば、実際直線的な通りでなくとも、直線、Ｌ字、十字、その他各種街路に適用可能である。
【００１７】
【発明の実施の形態】
以下、添付図面を用いて、本発明の実施の形態を説明する。図１は、紙面をポケットサイズ折り畳み、該本体を台紙間に収納するときの全体形状を示す平面説明図、図２及び図３は、紙面を展開した状態でその構成の詳細を示す平面図及びその裏面図である。
【００１８】
全体構造を示す図１において、本発明の一実施形態に係る折り畳み式広告地図１は、２つ折り可能な台紙２の間に、紙面３をポケットサイズに折り畳んで成る重ね本体４を挟み込んで成る。用紙３のサイズはＡ３版とするが、これに限定されないことは勿論である。
【００１９】
前記紙面３の表及び裏面には、図２及び図３で示す地図及び広告が表示される。表示のし方については後で詳細に説明する。
【００２０】
前記紙面３は、上下３つ折りとされ、左右方向には６つ折りされるものとする。各折り目を破線で示す。経度を示す点Ａ、Ｂ、Ｃ、Ｄ、Ｅ、Ｆ、Ｇ、緯度を示す点を上から順にＰ１、Ｐ２、Ｐ３、Ｐ４、Ｐ５とする。各コーナをＣ１、Ｃ２、Ｃ３、Ｃ４とする。
【００２１】
前記紙面３は、折り目Ｐ２−Ｐ２及びＰ４−Ｐ４に対し上方、又は下方共に手前に傾倒させて裏返して折り畳み、次いで縦方向の折り目に従って折り畳み、実線で示す重ね本体４の形状にまとめられ、次いで台紙２間に挟んでパッケージ化し、ポケットサイズで携帯可能とされる。縦方向の折り返し手法は、コンチェルティーナ折りであって、その他の方法であっても良く、何ら限定がない。上下の端線と折り目Ｐ２−Ｐ２、又はＰ４−Ｐ４間の距離Ｌ１、Ｌ３と、線Ｐ２−Ｐ４間の距離Ｌ２は、等しくない。前記台紙２の長さは、線Ｐ２−Ｐ４間の距離Ｌ２の約２倍の長さとされ、図において台紙２の下方の内側面は、紙面３の裏面にのり付けされている。従って、台紙２は、紙面３に対し固定的であり、紙面を折り目に従って折り畳み、重ね本体４の形状とし、これを挟み込んでポケットサイズにまとめることができる。また、所要のときに台紙２を開き、紙面３を展開することにより、紙面に書かれた広告地図を閲覧することができる。
【００２２】
前記台紙２の紙面３を挟み込む裏面には、クーポン券を貼付け又は収集するための欄が設けられている。台紙２の表面には、適宜の広告地図のタイトルや広告代理店の商標等が記載される。
【００２３】
図２は、前記紙面３の構成を示す平面図である。愛媛県松山市の二番町の例で示す。二番町は、松山市の繁華街の１つであり、二番町通りは、勝山通りと、八坂通りと、大街道と交差している。そこで、本例では、横方向に、二番町通りを示し、各交差点を明記する。各交差点間の距離や道幅は実際の距離と合わせる必要はない。案内のための配置関係が重要である。
【００２４】
前記通りの沿道には、目印となるガソリンスタンド、コンビニエンスストアー、ポスト、ホテル、交番、デパート等を、ほど良く記載する。
【００２５】
広告すべき店は、番号で示している。１つのビルで３店が広告を出す場合には、地図上の同一場所に３点表示できないので、通りと直交する方向に位置をずらせて３種の連番を付す。図には、広告対象が２０個の例を示している。各店を○印で示して、その中に番号を記入している。番号でなく、記号表記されることも有る。○でなくて他の形状で囲むことも有る。見易さ、発見のし易さの意味から、番号又は記号は何らかの形で囲った方が好ましい。
【００２６】
次に、二番町通りの上側沿道に沿う広告対象に対しては、上方余白部に各店の概要を示す概要コラムＭ１を設け、各概要コラムＭ１に各店の写真又はイラストを示している。概要コラムＭ１では、店の構えにこだわらず、室内雰囲気を示すのも構わない。
【００２７】
概要コラムＭ１は、できるだけ各店に近接した位置に設ける。各店と対応させるためである。しかしながら、店の配置関係から一見して分別できるようにするのは困難である場合がある。そこで、各概要コラムＭ１には、各店の番号又は記号を付け、同一番号記号の部分をなだらかな細い矢印で接合し、各店毎にコラムＭ１位置を案内している。この場合の矢印は、相互に交錯させないのが１つのやり方である。これにより、地図を汚すことなく、綺麗にまとめることが可能となる。
【００２８】
二番町通りの下方についても同様である。下方の沿道に沿っての概要コラムＭ１は、下方の余白部分に示す。上下の沿道の各店についての説明文字を上下に分けて表示する点と、文字方向を変えないことが必要である。紙面３に示した地図全体を一方向からのみ安定して示すためである。見る方向を変えると混乱を生じる。従って、本広告地図１は、通り全体を混乱なく、位置決めして一方向から見ることができる。
【００２９】
紙面３の左端で上下中間部分の裏面には、前記台紙の下半分がのり付けされている。のり付け部分を「のり」の文字で示している。
【００３０】
図３に示すように、前記紙面３の裏面には、紙面３の下方を図１に示す折り目Ｐ４−Ｐ４に沿って折り返したとき、上側沿及び各広告対象番号が重ね合わせが可能な図形が示されており、その下方には、各広告対象の詳細を示す詳細コラムＭ２が設けられている。各詳細コラムＭ２には、店の電話番号、メールアドレス、料金、商品、サービス等の詳細情報が記載されている。番号対応方式は、前記概要コラムＭ１と同様である。従って、図２において、紙面３の下方を折り返し、上側沿道図形を一致させることにより、紙面３の通りの下方に、図３に示す詳細コラムＭ２の上方部分を表示することができ、下側沿道の各広告対象に対し、その上方又は下方で概要及び詳細を表示することができ、各広告対象の内容をじっくりと閲覧させることができる。
【００３１】
また、同様に図１に示す折り目Ｐ２−Ｐ２に沿って、図２に示す紙面３の上側部分を折り返すことにより、下側沿道の広告対象について、詳細コラムＭ２を表示することができる。上側沿道又は下側沿道については、順次、交互に閲覧できる。上下、同時に見比べることはできないが、その必要性もない。
【００３２】
以上により、本広告地図１によれば、図２に示したような通り全体図を見ることができ、各広告対象の配置を正確に知ることができる。例えば、友人と待ち合わせの料理店で、八坂通りの交差点の隣であるとか、某駐車場の横であるとか、あるいは、某ビルの３階であるとか、容易に解る。実際地図よりも明瞭である。しかも、該当する広告対象の概要としては、写真あるいはイラスト等で特徴化しているので、これは極めて容易に他と識別できる。
【００３３】
また、本広告地図１は、通り上側の部分を折り返すことにより、通り下側沿道の広告対象の詳細コラムＭ２を見ることができるので、最も好みの店の選択が可能であり、大変重宝な情報と為すことができる。
【００３４】
さらに、本広告地図には、単なる広告のみならず、地形に合わせたリアルな目印の配置が示されるので、当該地図を通り散策のための地図とすることもできる。例えば、二番町の某駐車場で待ち合わせをするようなとき、この地図で教えることができる。場所を変えたりする場合でも、容易に目的値を定めることができる。これらの点から、本広告地図は、単なる広告を超えてサラリーマン、主婦、学生その他一般に二番町の地図として、多用が期待されるところである。広告主は、本来の広告を踏まえた上で通り全体をも広告でき、それによる全体経済効果も期待される。
【００３５】
上記実施の形態では、直線的な二番町の例で示したが、通りが多少曲っていても同様の広告地図とすることができる。また、通りは、メインの通りに対して直交する通りを含み、該直交する通りに対しては、前記上下の方向関係を左右の方向関係に置き換えて、同様の概要情報及び詳細情報の各コラムＭ１、Ｍ２を設けることができる。Ｌ字路や十字路であっても対応可能である。ただし、地図の見やすさの関係から、表示方向は、裏返しの前後においておくまで一方向にまとめるものとする。
【００３６】
本発明は、上記実施形態に限定されるものではなく、本発明の要旨を逸脱しない範囲で適宜変形し、各種態様で実施できる。
【００３７】
【発明の効果】
以上の通り、本発明は、特許請求の範囲に記載の通りの折り畳み式広告地図であるので、通りを中心として、上下沿道に沿ってリアルな配置で各広告対象の配置を示すことができ、余白部分を用いて各広告対象の概要を示すことができる。また、紙面の上方又は下方を前記中心に対し折り返し、裏面に描かれた沿道図形を一致させることができ、裏面余白部分で各広告対象の詳細を示すことができる。
【００３８】
紙面を見開いた状態では、通りの配置をリアルに示してあるので、街の地図として多用できることが期待され、これによる経済効果も大となる。
【００３９】
各広告対象と、概要コラム及び詳細コラムは番号又は記号で対応されるので、両者併せて広告効果を大とすることができる。
【００４０】
さらに、紙面はポケットサイズに折り畳み可能であり、それを台紙で挟んだ形で携帯可能となるので、一見して廃棄されるチラシと異なり、長期保有され、通り全体の宣伝効果も有し、汎用されて広告効果を高めることができる。
【図面の簡単な説明】
【図１】本発明の一実施形態に係る折り畳み式広告地図の全体形状を示す平面説明図である。
【図２】上記折り畳み式広告地図の紙面構成の詳細を示す平面図である。
【図３】図２に示す紙面の裏面構成を示す裏面図である。
【符号の説明】
１  折り畳み式広告地図
２  台紙
３  紙面
４  重ね本体
Ｍ１  概要コラム
Ｍ２  詳細コラム
Ｃ１、Ｃ２、Ｃ３、Ｃ４  コーナ
Ａ、Ｂ、Ｃ、Ｄ、Ｅ、Ｆ、Ｇ  経度を示す点
Ｐ１、Ｐ２、Ｐ３、Ｐ４、Ｐ５  緯度を示す点
Ｌ１、Ｌ２、Ｌ３  距離
【図１】
2005017490.tif 000003
【図２】
2005017490.tif 000004
【図３】
2005017490.tif 000005